(57)【要約】【課題】設備機器の遠隔管理システムにおいて、初期設定の作業時間を短縮する試運転ツール、設備機器の遠隔管理システムおよび設備機器の遠隔管理システムの初期設定方法を提供する。【解決手段】設備機器３０の遠隔管理の開始前に、前記設備機器３０の設置情報の把握するための試運転ツール１０であって、受付手段１２と、保持手段１３とを備える。この受付手段１２は、事前に予想設置情報を受け付ける。この保持手段１３は、受け付けた予想設置情報を保持する。【選択図】　　　　図１
2004015747.tif 000002
【特許請求の範囲】
【請求項１】
設備機器の遠隔管理の開始前に、前記設備機器の設置情報を把握するための試運転ツールであって、
事前に予想設置情報を受け付ける受付手段（１２）と、
受け付けた前記予想設置情報を保持する保持手段（１３）と、
を備える試運転ツール（１０）。
【請求項２】
前記受付手段（１２）は、前記予想設置情報を事前に入力するか若しくは前記設備機器の設置される現地で入力するかを選択可能な選択手段（１２ａ）を有する、
請求項１に記載の試運転ツール（１０）。
【請求項３】
前記保持手段（１３）により保持される前記予想設置情報を修正する修正手段（１５）をさらに備える、
請求項１または２に記載の試運転ツール（１０）。
【請求項４】
設備機器（３０）と、
前記設備機器（３０）を制御するコントローラ（４０）と、
前記コントローラ（４０）に接続可能であり、請求項３に記載の試運転ツール（１０）と、
前記コントローラ（４０）に接続される管理センタ（５０）と、
を備え、
前記設備機器（３０）は、前記設備機器（３０）の設置情報を前記コントローラ（４０）に対して送信し、
前記コントローラ（４０）は、前記設備機器（３０）から前記設置情報を受信し、受信した前記設置情報を前記試運転ツール（１０）に送信し、
前記試運転ツール（１０）は、前記予想設置情報と前記設置情報とが同一か否かを判定し、同一の場合には前記コントローラ（４０）を介して管理センタ（５０）へ前記予想設置情報を送信し、同一でない場合には前記修正手段（１５）によって前記予想設置情報を修正し、
前記管理センタ（５０）は、前記試運転ツール（１０）から送信される前記予想設置情報を元に、前記設備機器（３０）の遠隔管理を行う、
設備機器の遠隔管理システム（１）。
【請求項５】
設備機器（３０）の遠隔管理の開始前に、設備機器（３０）の設置情報を把握するための設備機器の遠隔管理システム（１）の初期設定方法であって、
事前に試運転ツール（１０）に予想設置情報を入力する第１ステップと、
前記予想設置情報と実際の設置情報とが同一であるか否かを判断する第２ステップと、
前記予想設置情報と前記実際の設置情報とが同一である場合には前記予想設置情報を取得し、前記予想設置情報と前記実際の設置情報とが同一でない場合には前記予想設置情報を修正した後に第２ステップに戻る第３ステップと、
を備える設備機器の遠隔管理システム（１）の初期設定方法。
【発明の詳細な説明】
【０００１】
【発明の属する技術分野】
本発明は、試運転ツール、設備機器の遠隔管理システムおよび設備機器の遠隔管理システムの初期設定方法、特に、設備機器の設置情報を把握するための試運転ツール、設備機器の遠隔管理システムおよび設備機器の遠隔管理システムの初期設定方法に関する。
【０００２】
【従来の技術】
従来から、建物（ビル、住宅等）に設置された設備機器（空調機器、照明機器、給湯器等）の管理を行うために、管理センタにおいて、建物に設置された設備機器を一括して管理するシステムが提案されている。この管理センタは、建物から離れた場所に設けられ、設備機器のメーカーもしくはその保守サービス業者等によって管理される。
【０００３】
ところで、設備機器を遠隔管理するために、管理センタが実際の設備機器の設置情報（実設置情報）を把握しておく必要がある。このため、管理センタでは、建物の設計業者や設備機器の施工業者などが作成する図面などを入手する。そして、管理センタでは、これらの図面などを元に設置情報を推定する。設備機器の設置は、これらの図面などを元に行われていると考えられるので、実設置情報と推定される設置情報とは、同一であると考えられる。つまり、管理センタにおいて、推定される設置情報を把握すれば、実設置情報を把握することができると考えられる。
【０００４】
【発明が解決しようとする課題】
しかし、実際には、物理的な理由や人為的なミスなどのため、これらの図面などの通りに設備機器が設置されていないことがある。つまり、推定される設置情報と実設置情報とが、同一でないことがある。このため、管理センタが、推定される設置情報を把握するだけでは、実設置情報を把握することができないことがある。
【０００５】
このため、実際には、設備機器の遠隔管理を始める前に、設備機器の遠隔管理の担当者などが、設備機器の設置される建物に実際に出向いて実設置情報を把握している。例えば、空調機の遠隔管理システムにおいては、空調機の実設置情報を把握するために、担当者などが現地で管理対象の空調機全てについて設置情報を試運転ツールに入力している。また、空調機における設置情報は、空調機器の設置される場所・空調機器の属する冷媒系統名・室外機の機種名・室内機の機種など非常に多くの項目からなる。つまり、管理センタが設備機器の実設置情報を把握するためには、担当者などが非常に多くの項目からなる設置情報を機器毎に一台一台試運転ツールに入力する必要がある。このため、管理センタが設備機器の設置情報を把握するために、担当者が多大な時間を費やしている。
【０００６】
本発明の課題は、設備機器の遠隔管理システムにおいて、初期設定の作業時間を短縮する試運転ツール、設備機器の遠隔管理システムおよび設備機器の遠隔管理システムの初期設定方法を提供することにある。
【０００７】
【課題を解決するための手段】
請求項１に係る試運転ツールは、設備機器の遠隔管理の開始前に、前記設備機器の設置情報の把握するための試運転ツールであって、受付手段と、保持手段とを備える。この受付手段は、事前に予想設置情報を受け付ける。この保持手段は、受け付けた予想設置情報を保持する。
【０００８】
従来の試運転ツールにおいては、上記の
【発明が解決しようとする課題】の欄で説明したように、担当者などが現地において機器毎に一台一台試運転ツールに情報入力する必要がある。それゆえに、試運転ツールが予想設置情報を前もって保持させておく、という発想は存在していない。ところが、本発明の発明者は、設備機器の試運転に時間を多く費やしている原因を詳細に調査したところ、本発明を創出するに至った。
【０００９】
この試運転ツールでは、担当者などが設備機器の設置される現地に向かう前に、受付手段が予想設置情報を受け付ける。さらに、保持手段が、受け付けた予想設置情報を保持する。設備機器の設置される現地では、担当者などが試運転ツールを用いて予想設置情報と実際の設置情報とを比較し、実際の設置情報を把握する。
【００１０】
ここでは、設備機器の設置される現地で、担当者などが設備機器の設置情報をツールに入力するのではない。担当者が現地に向かう前に、担当者などによって予想設置情報が試運転ツールに入力され、保持される。このため、担当者は、現地において、試運転ツールを用いて予想設置情報と設備機器の実際の設置情報との比較を行えばよい。その結果、担当者などが、現地において試運転ツールに入力する作業量が低減される。このため、設備機器の遠隔管理システムの初期設定に費やされる時間が短縮される。
【００１１】
請求項２に係る試運転ツールは、請求項１に記載の試運転ツールであって、受付手段は選択手段を有する。この選択手段は、事前に予想設置情報を入力するか若しくは前記設備機器の設置される現地で予想設置情報を入力するかを選択させることができる。
ここでは、現地に向かう前だけでなく、現地においても、担当者が予想設置情報を試運転ツールに入力することができるようになる。このため、試運転ツールの利便性が向上する。
【００１２】
請求項３に係る試運転ツールは、請求項１または２に記載の試運転ツールであって、さらに、修正手段を備える。この修正手段は、保持手段により保持される予想設置情報を修正する。
ここでは、修正手段により事前に入力した予想設置情報を、担当者が現地で修正することができるようになる。このため、試運転ツールの利便性が向上する。
【００１３】
請求項４に記載の設備機器の遠隔管理システムは、設備機器と、コントローラと、ツールと、管理センタとを備える。この設備機器は、設備機器の設置情報をコントローラに対して送信する。このコントローラは、設備機器を制御する。さらに、このコントローラは、設備機器から設置情報を受信し、受信した設置情報を試運転ツールに送信する。この試運転ツールは、コントローラに接続可能であり、請求項３に記載の試運転ツールである。さらに、この試運転ツールは、予想設置情報と設置情報とが同一か否かを判定する。予想設置情報と設置情報とが同一の場合には、試運転ツールがコントローラを介して管理センタに予想設置情報を送信する。予想設置情報と設置情報とが同一でない場合には、修正手段によって予想設置情報が修正される。この管理センタは、コントローラに接続され、試運転ツールからコントローラを介して送信される予想設置情報を元に設備機器の遠隔監視を行う。
【００１４】
ここでは、担当者などが設備機器の設置情報をツールに入力するのではない。担当者が現地に向かう前に、予想設置情報が試運転ツールに入力され、保持される。このため、担当者は、現地において、予想設置情報と設備機器の実際の設置情報との比較と、予想設置情報の修正を行えばよい。その結果、担当者などが、現地において試運転ツールに入力する情報量が低減される。このため、設備機器の遠隔管理システムの初期設定に費やされる時間が短縮される。
【００１５】
請求項５に記載の設備機器の遠隔管理システムの初期設定方法は、第１ステップと、第２ステップと、第３ステップとを備える。第１ステップでは、事前に試運転ツールに予想設置情報が入力される。第２ステップでは、予想設置情報と実際の設置情報とが同一であるか判断する。第３ステップでは、予想設置情報と実際の設置情報とが同一である場合には、予想設置情報を取得し、同一でない場合には、予想設置情報が修正した後に第２ステップに戻る。
【００１６】
ここでは、担当者などが設備機器の設置情報をツールに入力するのではない。担当者が現地に向かう前に、予想設置情報が試運転ツールに入力され、保持される。このため、担当者は、現地において、予想設置情報と設備機器の実際の設置情報との比較と、予想設置情報の修正を行えばよい。その結果、担当者などが、現地において試運転ツールに入力する情報量が低減される。このため、設備機器の遠隔管理システムの初期設定に費やされる時間が短縮される。
【００１７】
【発明の実施の形態】
＜本発明のシステムの構成＞
本発明の一実施形態に係る空調機の遠隔管理システム１の構成を図１に示す。このシステム１は、主に、試運転ツール１０と、コントローラ４０と、空調機３０と、管理センタ５０とから構成される。
【００１８】
＜試運転ツール１０＞
試運転ツール１０は、空調機３０の遠隔管理を行う際に、空調機３０またはコントローラ４０のメーカー、若しくはそれらの保守サービス業者の担当者などが、管理対象である空調機３０の設置情報（実設置情報）を把握するために用いられる。
【００１９】
空調機３０の実設置情報としては、具体的には、空調機３０を管理するために各空調機３０に割り振られるアドレス・空調機３０の属する冷媒系統名・室内機３１および室外機の設置日付・機種名・機種コード・機番などがある。
試運転ツール１０としては、持ち運び可能な端末機器（ノートパソコン等）と、この機器にインストールされた試運転ソフトとが、用いられる。また、試運転ツール１０は、コントローラ４０に接続可能である。
【００２０】
この試運転ツール１０は、入力部１１と、受付部１２と、保持部１３と、処理部１４と、修正部１５と、表示部２０とを有する。入力部１１は、担当者が試運転ツール１０に予想設置情報を入力する部品であり、例えば、キーボードやマウスなどである。予想設置情報は、空調機３０の設置状況を示す設計図面などから予想される空調機３０の設置情報である。受付部１２は、担当者などにより入力される予想設置情報を入力部１１から受け付ける。さらに、受付部１２は、選択部１２ａを有する。選択部１２ａは、予想設置情報を事前に入力するか、空調機３０の設置される現地に行ってから入力するかを選択することができる。保持部１３は、受付部１２により受け付けられる予想設置情報を保持する。処理部１４は、コントローラ４０に対して実設置情報を提供するよう指令を出す。そして、処理部１４は、コントローラ４０から提供される実設置情報と予想設置情報とを比較する。さらに、処理部１４は、実設置情報と予想設置情報とが同一の場合、コントローラ４０を介して管理センタ５０に対して予想設置情報を送信する。修正部１５は、実設置情報と予想設置情報とが異なる場合に、予想設置情報を修正する。表示部２０は、例えば、パソコンのディスプレイなどであり、予想設置情報の入力状況や、実設置情報と予想設置情報との比較結果などが表示される。これらの画面については後に詳述する。
【００２１】
＜空調機３０＞
図２に空調機３０の外観図を示す。空調機３０は、ビルや住宅などユーザの建物内に設置され、通信線を介してコントローラ４０と接続される。空調機３０は、冷房・暖房・除湿などの運転を行い、室内の空気の調和を行う。この空調機３０は、室内の壁面や天井などに取り付けられる室内機３１と、室外に設置される室外機３２とから構成される。室外機３２内には室外熱交換機や圧縮機などが収納され、室内機３１内には室内熱交換機が収納されている。そして、各熱交換機、圧縮機、各種バルブ、これらを接続する冷媒配管などが、冷媒回路を構成している。
【００２２】
空調機３０は、上記構成部品の他に、さらに、送信部３５を備える（図１参照）。この送信部３５は、コントローラ４０から空調機３０の設置情報の提供指令が送信された際に、コントローラ４０対して空調機３０の実際の設置情報（実設置情報）を送信する。空調機３０の設置情報としては、例えば、空調機３０の設置されるアドレス・冷媒系統情報等がある。
【００２３】
なお、本実施の形態において、空調機３０は、いわゆる業務用のパッケージエアコンを用いているが、これに代えて、いわゆる家庭用のルームエアコンまたは、空調機全般としてもよい。
＜コントローラ４０＞
コントローラ４０は、空調機３０を制御するために空調機３０の設置される建物内に設置され、インターネットなどのネットワークを介して管理センタ５０と接続される。また、このコントローラ４０は通信部４１を有する（図１参照）。この通信部４１は、試運転ツール１０から空調機３０の実設置情報の提供指令が送信される際に、空調機３０に対して空調機３０の実設置情報の提供指令を送信する。そして、通信部４１は、空調機３０の送信部３５から送信される空調機３０の実設置情報を受信する。さらに、通信部４１は、取得した空調機３０の実設置情報を試運転ツール１０に対して送信する。
【００２４】
＜管理センタ５０＞
管理センタ５０は、空調機３０を遠隔管理するために、空調機３０の設置される建物から離れた場所に設けられる。管理センタ５０は、コントローラ４０とインターネットなどのネットワークまたは公衆回線などを介して接続される。また、管理センタ５０は、コントローラ４０から設置情報を取得する。そして、管理センタ５０は、取得した設置情報を元にコントローラ４０を介して空調機３０の遠隔管理を行う。
＜本システム１の作用＞
（設置情報の把握作業）
図３に管理センタ５０が、空調機３０の実設置情報を把握する際の、作業のフローを示す。
【００２５】
まず、担当者などが空調機３０の設置される現地に向かう前の作業について説明する。担当者などが、施工業者等から建物の建築図面や空調機３０の設置図面などを入手する（ステップＳ１０１）。これらの図面には、建物を建築した時点または空調機３０を設置した時点での、空調機３０の設置情報の全てまたは一部が明示されている。これらの図面および資料を元にして、担当者などは予想設置情報を取得する（ステップＳ１０２）。その後、担当者などが、試運転ツール１０に対して予想設置情報の入力を開始する。
【００２６】
試運転ツール１０への予想設置情報の入力においては、まず、選択部１２ａにおいて、担当者は、現地での入力であるか、事前での入力であるかを選択する（ステップＳ１０３）。その後、担当者などが、予想設置情報を試運転ツール１０に対して入力する（ステップＳ１０４）。入力された予想設置情報は、受付部１２によって受け付けられる（ステップＳ１０５）。さらに、受付部１２によって受け付けられる予想設置情報は、保持部１３に保持される（ステップＳ１０６）。その後、担当者などは、試運転ツール１０を持って、現場に向かう。（ステップＳ１０７）
次に、現場での作業について説明する。現場では、まず、担当者などが、試運転ツール１０とコントローラ４０とを接続する（ステップＳ１０８）。その後、予想設置情報と実設置情報とを比較するために、処理部１４が通信部４１に対して実設置情報の提供指令を送信する（ステップＳ１０９）。処理部１４から実設置情報の提供指令を受けた通信部４１は、送信部３５に対して実設置情報の提供指令を送信する（ステップＳ１１０）。通信部４１から実設置情報の提供指令を受けた送信部３５は、通信部４１に実設置情報を送信する（ステップＳ１１１）。その後、通信部４１は送信部３５から送信された実設置情報を処理部１４に対して送信する（ステップＳ１１２）。そして、処理部１４は、保持部１３の保持する予想設置情報と通信部４１から受信した実設置情報とを比較する（ステップＳ１１３）。予想設置情報と実設置情報とが異なる場合、担当者などは、入力した予想設置情報を修正部１５によって修正する（ステップＳ１１４）。その後、処理部１４は、修正された予想設置情報とコントローラ４０から受信した実設置情報とを比較する。（ステップＳ１１３）予想設置情報と実設置情報とが同一の場合、処理部１４は、コントローラ４０を介して設置情報を管理センタ５０に送信する（ステップＳ１１５）。管理センタ５０は、処理部１４から設置情報を受信し、受信した設置情報を元に空調機３０の遠隔管理を行う（ステップＳ１１６）。
【００２７】
なお、本発明の一実施形態に係る空調機３０の遠隔管理システム１においては、担当者などが試運転ツール１０を事前に予想設置情報を入力する場所から現地に持っていっている。これに代えて、インターネットなどのネットワークを介して現地に予想設置情報を送信してもよい。さらに、担当者が、予想設置情報をフレキシブルディスクなどの記憶媒体に保持させ、記憶媒体を現地に持っていってもよい。
【００２８】
また、本発明の一実施形態に係る空調機３０の遠隔管理システム１においては、試運転ツール１０として、持ち運び可能な端末機器（ノートパソコン等）と、この機器にインストールされた試運転ソフトとを利用している。これに代えて、据え置き型複数の端末機器と、これらの機器にインストールされた試運転ソフトとを利用してもよい。例えば、これらの端末機器は、事前に担当者などが予想設置情報を入力する場所に据え置かれる端末機器と、現地に据え置かれる端末機器とである。
【００２９】
（表示部２０の表示）
この空調機３０の遠隔監視システム１では、試運転ツール１０の表示部２０上に、予想設置情報の入力内容・入力された予想設置情報と実設置情報との比較結果などを示す画面が表示される。
以下、表示部２０上に表示される各種の画面について説明する。
【００３０】
〔「作業モード」選択画面２１〕
図４に「作業コード」選択画面２１を示す。
この「作業コード」選択画面２１は、担当者などが試運転ツール１０に予想設置情報を入力しようとする際に、表示部２０に最初に表示される画面である。この画面２１には、主に、「試運転」ボタン２１ａと、「事前入力」ボタン２１ｂとが表示される。
【００３１】
担当者などが、現場へ向かう事前に予想設置情報を入力しようとする際には、「事前入力」ボタン２１ｂを押すと、事前入力モードが選択される。担当者などが、現場で予想設置情報を入力しようとする際には、「試運転」ボタン２１ａを押すと、試運転モードが選択される。
〔「冷媒系統一覧」画面〕
図５に「冷媒系統一覧」画面２２を示す。
【００３２】
「冷媒系統一覧」画面２２は、ある冷媒系統に属する室外機３２および室内機３１の予想設置情報の入力画面に移行するための導入画面である。「冷媒系統一覧」画面２２には、主に、「冷媒系統一覧表」２２ａと「室外機」ボタン２２ｂと「室内機」ボタン２２ｃとが表示される。担当者などが、「冷媒系統一覧表」２２ａ内の一つの冷媒系統を選択した後、「室外機」ボタン２２ｂを選択すると、図６に示す「室外機設定」画面２３が表示部２０に表示される。また、担当者などが、「冷媒系統一覧表」内の一つの冷媒系統を選択した後、「室内機」ボタン２ｃを選択すると、図７に示す「室内機設定」画面２４が表示部２０に表示される。
【００３３】
〔「室外機設定」画面２３〕
「室外機設定」画面２３は、室外機３２に関する予想設置情報を入力する画面である。「室外機設定」画面２３には、主に、「系統名」欄２３ａと、「設置日付」欄２３ｂと、「機種名」欄２３ｃと、「変更」ボタン２３ｄと、「ＯＫ」ボタン２３ｅとが表示される。
【００３４】
まず、担当者などは、「系統名」欄２３ａに、室外機３２が空調作業を行う領域名（例えば、２階全域、北館３階など）を入力する。次に、担当者などは、「設置日付」欄２３ｂに、室外機３２の設置された日付を入力する。そして、担当者などは、「機種名」欄２３ｃに、室外機３２の機種名を入力する。その後、担当者などが「変更」ボタン２３ｄを選択すると、「室外機設定」画面２３において入力された予想設置情報が、受付部１２によって受け付けられ、保持部１３により保持される。担当者などが予想設置情報を修正する際も、「系統名」や「機種名」などを修正後、「変更」ボタン２３ｄを選択すると、修正された予想設置情報が、受付部１２によって受け付けられ、保持部１３により保持される。予想設置情報を入力した後、担当者などが、「ＯＫ」ボタン２３ｅを選択すると、「室外機設定」画面２３から「冷媒系統一覧」画面２２に戻る。
【００３５】
〔「室内機設定」画面２４〕
「室内機設定」画面２４は、室内機３１に関する予想設置情報を入力する画面である。「室内機設定」画面２４には、主に、「室内機一覧」表２４ａと、「機種名」欄２４ｂと、「設置場所」欄２４ｃと、「変更」ボタン２４ｄと、「ＯＫ」ボタン２４ｅとが表示される。
【００３６】
まず、担当者などは、「室内機一覧」表２４ａ内の、室内機名を選択する。次に、担当者などは、「機種名」欄２４ｂに室内機３１の機種名を入力する。そして、担当者などは、「設置場所」欄２４ｃに室内機３１の設置される場所の名前（例えば、１階事務所、３階会議室など）を入力する。その後、担当者などが「変更」ボタン２４ｄを選択すると、「室内機設定」画面２４において入力された予想設置情報が、受付部１２によって受け付けられ、保持部１３により保持される。担当者などが予想設置情報を修正する際も、「機種名」や「設置場所」などを修正後、「変更」ボタン２４ｄを選択すると、修正された予想設置情報が、受付部１２によって受け付けられ、保持部１３により保持される。予想設置情報を入力した後、担当者などが、「ＯＫ」ボタン２４ｅを選択すると、「室内機設定」画面２４から「冷媒系統入力」画面に２２戻る。
【００３７】
＜本システム１の特徴＞
（１）
この空調機の遠隔管理システム１では、試運転ツール１０が、担当者により事前に入力される予想設置情報を受け付け、保持する。このため、空調機の遠隔管理システム１の初期設定時に、担当者などが現地で試運転ツール１０に予想設置情報を入力する作業量が低減される。その結果、空調機の遠隔管理システム１の初期設定に要する時間が短縮される。
【００３８】
（２）
この空調機の遠隔管理システム１では、担当者が、現地に向かう前においても、現地においても、どちらの場合であっても、担当者が、試運転ツール１０に予想設置情報を入力することができる。このため、試運転ツール１０の利便性が向上する。
【００３９】
（３）
この空調機の遠隔管理システム１では、試運転ツール１０が入力された予想設置情報を修正する修正部１５を有する。このため、予想設置情報を誤って入力した際や、予想設置情報と実設置情報とが同一でない場合などでも、担当者等は、予想設置情報を修正することができる。その結果、試運転ツール１０の利便性が向上する。
【００４０】
（４）
空調機３０の稼働時間が長い空調システムにおいては、システムの初期設定に多大な時間をとれないために、空調機の遠隔管理システムを導入できない場合がある。
しかし、この空調機の遠隔管理システム１では、空調機の遠隔管理システム１の初期設定に要する時間が短縮される。このため、空調機３０の稼働時間が長い空調システムであっても、空調機３０の遠隔管理システムを導入できる可能性が高まる。
【００４１】
【発明の効果】
請求項１に係る発明では、担当者が現地に向かう前に、予想設置情報が試運転ツールに入力され、保持される。このため、担当者は、現地において、予想設置情報と設備機器の実際の設置情報との比較を行えばよい。その結果、担当者などが、現地において試運転ツールに入力する作業量が低減される。このため、設備機器の遠隔管理システムの初期設定に費やされる時間が短縮される。
【００４２】
請求項２に係る発明では、現地に向かう前だけでなく、現地においても、担当者が予想設置情報を試運転ツールに入力することができる。このため、試運転ツールの利便性が向上する。
請求項３に係る発明では、修正手段により事前に入力した予想設置情報を修正することができる。このため、試運転ツールの利便性が向上する。
【００４３】
請求項４に係る発明では、担当者が現地に向かう前に、予想設置情報が試運転ツールに入力され、保持される。このため、担当者は、現地において、予想設置情報と設備機器の実際の設置情報との比較と、予想設置情報の修正を行えばよい。その結果、担当者などが、現地において試運転ツールに入力する情報量が低減される。このため、設備機器の遠隔管理システムの初期設定に費やされる時間が短縮される。
【００４４】
請求項５に係る発明では、担当者が現地に向かう前に、予想設置情報が試運転ツールに入力され、保持される。このため、担当者は、現地において、予想設置情報と設備機器の実際の設置情報との比較と、予想設置情報の修正を行えばよい。その結果、担当者などが、現地において試運転ツールに入力する情報量が低減される。このため、設備機器の遠隔管理システムの初期設定に費やされる時間が短縮される。
【図面の簡単な説明】
【図１】本発明の一実施形態に係る空調機の遠隔管理システムの構成図。
【図２】空調機の外観図。
【図３】空調機の遠隔管理システムのフロー図。
【図４】「作業コード」選択画面の図。
【図５】「冷媒系統入力」画面の図。
【図６】「室外機設定」画面の図。
【図７】「室内機設定」画面の図。
【符号の説明】
１　　　　　空調機の遠隔管理システム（設備機器の遠隔管理システム）
１０　　　　試運転ツール
１２　　　　受付部（受付手段）
１２ａ　　　選択部（選択手段）
１３　　　　保持部（保持手段）
１５　　　　修正部（修正手段）
３０　　　　空調機（設備機器）
４０　　　　コントローラ
５０　　　　管理センタ
【図１】
2004015747.tif 000003
【図２】
2004015747.tif 000004
【図３】
2004015747.tif 000005
【図４】
2004015747.tif 000006
【図５】
2004015747.tif 000007
【図６】
2004015747.tif 000008
【図７】
2004015747.tif 000009